(57)【要約】【課題】画像非表示状態において、表示装置の表示面と外枠との境目を目立ちにくくする。【解決手段】透過率調整シート付き表示装置１は、表示面１１を有する表示装置１０と、表示装置１０に対面して配置された透過率調整シート２０と、を備える。透過率調整シート２０は、透明部２５と、透明部２５に隣接するグラデーション部２６を含む着色部２７と、を有する。グラデーション部２６は、少なくとも部分的に表示面１１に対面し、且つ透明部２５から離間するにつれて可視光透過率が低くなる。【選択図】図２
2020034773.tif 000002
【特許請求の範囲】
【請求項１】
表示面を有する表示装置と、
前記表示装置に対面して配置された透過率調整シートと、を備え、
前記透過率調整シートは、透明部と、前記透明部に隣接するグラデーション部を含む着色部と、を有し、
前記グラデーション部は、少なくとも部分的に前記表示面に対面し、且つ前記透明部から離間するにつれて可視光透過率が低くなる、透過率調整シート付き表示装置。
【請求項２】
平面視において前記透明部と前記グラデーション部とのある境界線に直交する方向における、前記透明部の長さに対する前記グラデーション部の幅の比は、１／３０以上１／５以下である、請求項１に記載の透過率調整シート付き表示装置。
【請求項３】
前記透明部の可視光透過率は、８０％以上９９．８％以下である、請求項１または２に記載の透過率調整シート付き表示装置。
【請求項４】
前記着色部の最も低い可視光透過率は、０．００１％以上２０％以下である、請求項１乃至３のいずれか一項に記載の透過率調整シート付き表示装置。
【請求項５】
前記グラデーション部の可視光透過率は、前記透明部から離間するにつれて、前記グラデーション部の単位長さあたり０．３％／ｍｍ以上９９．８％／ｍｍ以下の割合で減少する、請求項１乃至４のいずれか一項に記載の透過率調整シート付き表示装置。
【請求項６】
前記着色部のＬ＊ａ＊ｂ＊表色系におけるＬ＊の値であるＬ＊１の最小値は、２０以下であり、
前記着色部のＬ＊ａ＊ｂ＊表色系におけるａ＊の値であるａ＊１およびｂ＊の値であるｂ＊１は、次の関係を満たす、請求項１乃至５のいずれか一項に記載の透過率調整シート付き表示装置。
（（ａ＊１）２＋（ｂ＊１）２）１／２≦４８
【請求項７】
前記透過率調整シートの前記表示装置が配置された側とは逆側に配置された加飾シートをさらに備え、
前記加飾シートは、絵柄を形成する絵柄部と、前記絵柄部の非形成部である透過部と、を有する、請求項１乃至６のいずれか一項に記載の透過率調整シート付き表示装置。
【請求項８】
表示面を有する表示装置に対面して配置される積層体であって、
透過率調整シートと、
前記透過率調整シートの前記表示装置が配置される側とは逆側となる側に配置された加飾シートと、を備え、
前記加飾シートは、絵柄を形成する絵柄部と、前記絵柄部の非形成部である透過部と、を有し、
前記透過率調整シートは、透明部と、前記透明部に隣接するグラデーション部を含む着色部と、を有し、
前記グラデーション部は、少なくとも部分的に前記表示面に対面し、且つ前記透明部から離間するにつれて可視光透過率が低くなる、積層体。
【発明の詳細な説明】
【技術分野】
【０００１】
本発明は、透過率調整シート付き表示装置及び積層体に関する。
【背景技術】
【０００２】
例えば特許文献１に記載されているような、画像光を表示する表示装置が知られている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に画像を表示する機能が期待されているだけでなく、周囲環境との意匠性の調和も要求されている。
【０００３】
表示装置に意匠性を付与するために、表示装置の表示面に対面して加飾シートを設けることが考えられている。加飾シートは、表示装置の周辺環境と調和することができる意匠性を付与することができる。具体的には、加飾シートに絵柄を形成する絵柄部が設けられていることで、加飾シートは意匠性を有することができる。また、表示装置の画像光が加飾シートを透過することができるよう、加飾シートの表示面に対面する領域には孔等の透過部が設けられる。
【先行技術文献】
【特許文献】
【０００４】
【特許文献１】特開平９−１１４００３号公報
【発明の概要】
【発明が解決しようとする課題】
【０００５】
ところで、表示装置の表示面に対面して加飾シートを設けたとしても、画像非表示の状態において、表示装置の表示面の存在が目立つことがあった。画像非表示の状態において、表示装置の表示面の存在が目立つと、周囲環境との意匠性の調和が乱されてしまう。とりわけ、加飾シートにおいて透過部が占める面積の割合が大きくなると、表示装置の存在が目立って観察されていた。そこで、表示装置の表示面の周囲を取り囲む外枠を画像非表示状態の表示面と同様の意匠、典型的には黒色とすることが考えられた。しかしながら、単に表示装置の外枠を黒色とすることのみでは、表示装置の存在を十分に目立たなくすることができなかった。本件発明者らが確認したところ、表示面は、表示装置の表示面と外枠との境目が認識されることで目立っていた。表示装置と周囲環境との意匠性の調和させるために、表示装置の表示面と外枠との境目を目立たせなくして、表示面の存在を目立たせなくすることが望まれている。
【０００６】
本発明は、このような点を考慮してなされたものであり、画像非表示状態において、表示装置の表示面と外枠との境目を目立ちにくくすることを目的とする。
【課題を解決するための手段】
【０００７】
本発明の透過率調整シート付き表示装置は、
表示面を有する表示装置と、
前記表示装置に対面して配置された透過率調整シートと、を備え、
前記透過率調整シートは、透明部と、前記透明部に隣接するグラデーション部を含む着色部と、を有し、
前記グラデーション部は、少なくとも部分的に前記表示面に対面し、且つ前記透明部から離間するにつれて可視光透過率が低くなる。
【０００８】
本発明の透過率調整シート付き表示装置において、平面視において前記透明部と前記グラデーション部とのある境目に直交する方向における、前記透明部の長さに対する前記グラデーション部の幅の比は、１／３０以上１／５以下であってもよい。
【０００９】
本発明の透過率調整シート付き表示装置において、前記透明部の可視光透過率は、８０％以上９９．８％以下であってもよい。
【００１０】
本発明の透過率調整シート付き表示装置において、前記着色部の最も低い可視光透過率は、０．００１％以上２０％以下であってもよい。
【００１１】
本発明の透過率調整シート付き表示装置において、前記グラデーション部の可視光透過率は、前記透明部から離間するにつれて、前記グラデーション部の単位長さあたり０．３％／ｍｍ以上９９．８％／ｍｍ以下の割合で減少してもよい。
【００１２】
本発明の透過率調整シート付き表示装置において、
前記着色部のＬ＊ａ＊ｂ＊表色系におけるＬ＊の値であるＬ＊１の最小値は、２０以下であり、
前記着色部のＬ＊ａ＊ｂ＊表色系におけるａ＊の値であるａ＊１およびｂ＊の値であるｂ＊１は、次の関係を満たしてもよい。
（（ａ＊１）２＋（ｂ＊１）２）１／２≦４８
【００１３】
本発明の透過率調整シート付き表示装置において、
前記透過率調整シートの前記表示装置が配置された側とは逆側に配置された加飾シートをさらに備え、
前記加飾シートは、絵柄を形成する絵柄部と、前記絵柄部の非形成部である透過部と、を有してもよい。
【００１４】
本発明の積層体は、表示面を有する表示装置に対面して配置される積層体であって、
透過率調整シートと、
前記透過率調整シートの前記表示装置が配置される側とは逆側となる側に配置された加飾シートと、を備え、
前記加飾シートは、絵柄を形成する絵柄部と、前記絵柄部の非形成部である透過部と、を有し、
前記透過率調整シートは、透明部と、前記透明部に隣接するグラデーション部を含む着色部と、を有し、
前記グラデーション部は、少なくとも部分的に前記表示面に対面し、且つ前記透明部から離間するにつれて可視光透過率が低くなる。
【発明の効果】
【００１５】
本発明によれば、画像非表示状態において、表示装置の表示面と外枠との境目を目立ちにくくすることができる。
【図面の簡単な説明】
【００１６】
【図１】図１は、透過率調整シート付き表示装置の各要素を概略的に示す分解斜視図である。
【図２】図２は、透過率調整シート付き表示装置の断面図である。
【図３】図３は、透過率調整シートの正面図である。
【図４】図４は、表示面に画像を表示しない状態の透過率調整シート付き表示装置を示す正面図である。
【図５】図５は、表示面に画像を表示した状態の透過率調整シート付き表示装置を示す正面図である。
【図６】図６は、表示面に画像を表示しない状態の従来の表示装置を示す正面図である。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１８】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００１９】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
図１は、本発明による一実施の形態の透過率調整シート付き表示装置１を概略的に示す分解斜視図である。図１に示されるように、透過率調整シート付き表示装置１は、表示面１１を有する表示装置１０と、表示装置１０に対面して配置された積層体１５と、を有している。積層体１５は、表示装置１０に対面して配置された透過率調整シート２０と、透過率調整シート２０の表示装置１０が配置された側とは逆側に配置された加飾シート３０と、を有している。透過率調整シート付き表示装置１において、加飾シート３０は、後述する遮蔽部３７が設けられた側が透過率調整シート２０及び表示装置１０の配置された側となるよう配置されている。なお、図示されている例では、透過率調整シート付き表示装置１は、平板状に示されているが、透過率調整シート付き表示装置１の各構成要素が湾曲することで、透過率調整シート付き表示装置１は、湾曲形状であってもよい。
【００２１】
表示装置１０は、画像光を出射する装置であり、画像光を出射することができる表示面１１と、表示面１１を取り囲む外枠１３と、を有している。表示装置１０の表示面１１と外枠１３との間は、境目Ｂが形成されている。表示装置１０は、液晶ディスプレイやプラズマディスプレイ、有機ＥＬディスプレイ等の任意の表示装置を用いることができる。このような表示装置１０の表示面１１は、典型的にはガラス面となっている。あるいは、表示装置１０は、光に印刷が施された透明なフィルム等を透過させて画像を表示するものや、光の一部を遮光物によって遮蔽して明暗による画像を表示するものであってもよい。この場合、表示装置１０は、光を発する光源及び印刷が施された透明なフィルムや遮光物を含んでいる。
【００２２】
透過率調整シート２０は、表示装置１０に対面して配置され、少なくとも表示面１１と外枠１３との境界Ｂの全体を覆っている。透過率調整シート２０は、表示装置１０の境界Ｂの全体を覆うことができるよう、表示面１１の寸法より大きな寸法を有している。図１に示す例では、透過率調整シート２０は、全体として表示装置１０の表示面１１と同一の方向に広がる平板状の部材である。透過率調整シート２０の厚さは、例えば２５μｍ以上２５０μｍ以下である。
【００２３】
なお、好ましくは、透過率調整シート２０は、外枠１３を含んだ表示装置１０の全体を覆っている。これによって、表示面１１と外枠１３との間の、透過率調整シート２０の有無によって生じる差異が視認されることによる意匠性の低下を避けることができる。
【００２４】
図２及び図３に示されているように、透過率調整シート２０は、透明部２５と、着色部２７と、を有している。図３に示された例では、透明部２５は、着色部２７に取り囲まれている。着色部２７は、透明部２５に隣接するグラデーション部２６を含んでいる。透過率調整シート２０は、グラデーション部２６の可視光透過率を調整することで、表示装置１０の表示面１１と外枠１３との境目Ｂを目立たせなくさせる。
【００２５】
ここで、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定することができる。
【００２６】
透明部２５は、表示装置１０の表示面１１からの画像光を透過させるために設けられている。図１及び図３に示されているように、透明部２５は正面視において略矩形状となっている。しかしながら、透明部２５は、円形等の任意の形状であってもよい。また、透明部２５は、開口部であってもよいし、図２に示すように、透明な樹脂、例えばアクリル、ポリカーボネート、ポリエチレンテレフタレート（ＰＥＴ）、ＡＢＳ（アクリロニトリル−ブタジエン−スチレン共重合体）等によって形成されていてもよい。透明部２５の可視光透過率は、８０％以上９９．８％以下であることが好ましい。
【００２７】
なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００２８】
着色部２７は、表示装置１０の外枠１３及び表示面１１と外枠１３との境目Ｂを目立ちにくくする。表示装置１０の外枠１３及び表示面１１と外枠１３との境目Ｂを目立ちにくくするため、着色部２７は、表示装置１０の表示面１１と外枠１３との境目Ｂに少なくとも重なっている。また、着色部２７の最も低い部分の可視光透過率は、０．００１％以上２０％以下となっていることが好ましい。さらに、着色部２７は、黒色等の暗色に着色されていることが好ましい。具体的には、着色部２７のＬ＊ａ＊ｂ＊表色系におけるＬ＊の値であるＬ＊１の最小値は、２０以下であることが好ましい。また、着色部２７のＬ＊ａ＊ｂ＊表色系におけるａ＊の値であるａ＊１およびｂ＊の値であるｂ＊１は、次の関係を満たすことが好ましい。
（（ａ＊１）２＋（ｂ＊１）２）１／２≦４８
着色部２７がこのような関係を満たす色となるよう、着色部２７は、アクリル、塩化ビニル−酢酸ビニル共重合体等の混合物、ポリエステル系材料等の樹脂に黒色顔料が含まれて形成されていることが好ましい。着色部２７に含まれる黒色顔料としては、カーボンブラックやチタンブラック等を例示することができる。
【００２９】
なお、Ｌ＊ａ＊ｂ＊表色系におけるＬ＊の値、ａ＊の値およびｂ＊の値は、色彩計や分光測色計を用いて測定することができる。着色部２７のＬ＊の値、ａ＊の値およびｂ＊の値は、例えば分光測色系（コニカミノルタ製「ＣＭ−７００ｄ」）を用いて、着色部２７の反射光から測定することができる。また、条件として、主光源はＤ６５を、表示系はＬ＊ａ＊ｂ＊を、色差式はΔＥ＊ａｂ（ＣＩＥ  １９７６）を用いる。
【００３０】
着色部２７は、グラデーション部２６を含んでいる。着色部２７は、その全域がグラデーション部２６であってもよいし、その一部のみがグラデーション部２６であってもよい。
【００３１】
グラデーション部２６は、表示面１１と外枠１３との境目Ｂを目立ちにくくさせる。グラデーション部２６は、少なくとも部分的に表示面１１に対面している。好ましくは、グラデーション部２６は、表示面１１と外枠１３との境目Ｂに重なっている。グラデーション部２６は、透明部２５に隣接しており、可視光透過率が段階的または連続的に変化している。グラデーション部２６の可視光透過率は、透明部２５から離間するにつれて低くなっていることが好ましい。ここで、グラデーション部２６の可視光透過率が透明部２５から離間するにつれて低くなっているとは、グラデーション部２６の可視光透過率が透明部２５からの距離に応じて連続的に変化し続けることのみを意味しているのではなく、透明部２５から離間するに伴って低くなっている部分を含み且つ透明部２５から離間するに伴って高くなっている部分を含まないことを意味している。具体的には、グラデーション部２６の可視光透過率は、透明部２５から離間するにつれて、グラデーション部２６の単位長さあたり０．３％／ｍｍ以上９９．８％／ｍｍ以下の割合で減少していることが好ましい。グラデーション部２６の可視光透過率は、例えばグラデーション部２６の厚みや、グラデーション部２６に含まれる黒色顔料の密度を調節することで、適宜に変化させることができる。好ましくは、グラデーション部２６の厚みは、透明部２５から離間するに伴って厚くなっている部分を含み且つ透明部２５から離間するに伴って薄くなっている部分を含まない。あるいは、グラデーション部２６に含まれる黒色顔料の密度は、透明部２５から離間するに伴って高くなっている部分を含み且つ透明部２５から離間するに伴って低くなっている部分を含まない。図２に示された例では、グラデーション部２６の厚みが透明部２５から離間するにつれて厚くなっていることで、グラデーション部２６の可視光透過率は、透明部２５から離間するにつれて低くなっている。
【００３２】
グラデーション部２６の幅は、表示面１１と外枠１３との境目Ｂを目立ちにくくさせる程度に大きく、且つグラデーション部２６自体が目立たない程度に小さくなっていることが好ましい。このようなグラデーション部２６の幅は、観察される画像の大きさ、すなわち透明部２５の大きさに依存する。したがって、グラデーション部２６の幅は、透明部２５の大きさとの比によって決定されることが好ましい。図３に示す例では、平面視において透明部２５とグラデーション部２６との境界線に直交するある方向において、透明部２５は長さ（幅）ＷＴを有しており、グラデーション部２６は長さ（幅）ＷＧを有している。この場合、透明部２５は長さ（幅）ＷＴに対するグラデーション部２６の長さ（幅）ＷＧの比は、１／３０以上１／５以下となっていることが好ましい。
【００３３】
加飾シート３０は、表示装置１０の表示面１１に対面して配置され、表示面１１が外部から直接観察されないよう、透過率調整シート２０の透明部２５を介して少なくとも表示面１１の全体を覆っている。加飾シート３０は、表示装置１０の表示面１１の全体を覆うことができるよう、表示面１１の寸法以上の寸法を有している。図１に示す例では、加飾シート３０は、全体として表示装置１０の表示面１１と同一の方向に広がる平板状の部材である。加飾シート３０の厚さは、例えば２０μｍ以上５５０μｍ以下である。
【００３４】
加飾シート３０は、絵柄を表示して、透過率調整シート付き表示装置１に意匠性を付与する。加飾シート３０は、基材部３１と、基材部３１上に設けられた絵柄部３３及び遮蔽部３７と、絵柄部３３及び遮蔽部３７の非形成部である透過部３５と、を有している。図２に示された例では、基材部３１に接して遮蔽部３７が設けられ、遮蔽部３７に重ねられて絵柄部３３が設けられている。
【００３５】
基材部３１は、基材部３１上に設けられた絵柄部３３および遮蔽部３７を適切に支持する。基材部３１は、透明なフィルム状の部材である。基材部３１としては、可視光を透過し、絵柄部３３及び遮蔽部３７を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン等を挙げることができる。また、基材部３１は、可視光透過性や、絵柄部３３および遮蔽部３７の適切な支持性等を考慮すると、１０μｍ以上５００μｍ以下の厚みを有していることが好ましい。
【００３６】
絵柄部３３は、加飾シート３０が表示する絵柄を形成する。絵柄部３３は、図形、パターン、デザイン、色彩、絵、写真、キャラクター、マーク、文字や数字などの絵柄を、意匠として形成することができる。特に、透過率調整シート付き表示装置１が設けられる周辺環境と調和させることができる意匠として、木目調や大理石調の絵柄や幾何学模様を例示することができる。また、絵柄部３３は、単色の色彩をベタ印刷してなる絵柄を意匠として形成するものであってもよい。なお、図２に示すような加飾シート３０のシート面に直交する方向の断面における絵柄部３３の断面形状は、矩形となっているが、これに限らず、台形形状等であってもよい。絵柄部３３の厚さが十分に厚くなっていると、絵柄部３３によって形成される絵柄を濃く明確にすることができる。ここで、絵柄部３３の厚さとは、絵柄部３３を支持する基材部３１の法線方向に沿った絵柄部３３の長さのことである。具体的な例として、絵柄部３３の厚さは、１μｍ以上２０μｍ以下であることが好ましい。
【００３７】
透過部３５は、表示装置１０からの画像光を透過させるために設けられている。透過部３５は、図２及び図３に示すように、加飾シート３０の正面からの観察において、絵柄部３３及び遮蔽部３７の非形成部である。表示装置１０からの画像光を十分に透過させるために、加飾シート３０において、透過部３５が占める面積は、２０％以上となっていることが好ましい。
【００３８】
なお、透過部３５は、図２に示された例のように、孔や空隙であってもよいが、例えば透明な樹脂によって形成されてもよい。さらに、透明な樹脂は、透過部３５だけでなく、基材部３１が設けられている側とは逆側から絵柄部３３および遮蔽部３７を覆うように形成されていてもよい。このような透明な樹脂は、透過部３５を形成するとともに、絵柄部３３および遮蔽部３７を保護する透明な保護膜として機能することができる。
【００３９】
透過部３５は、例えば、基材部３１上の全面に設けられた絵柄部３３及び遮蔽部３７に対して、透過部３５が形成させるべき位置にレーザーを照射し、レーザーが照射された位置の絵柄部３３及び遮蔽部３７を除去することで設けられる。なお、この透過部３５を形成する方法は例示であり、透過部３５は、他の方法によって形成されてもよい。
【００４０】
遮蔽部３７は、表示装置１０に対面する側、すなわち図２に示された例では基材部３１の側から、絵柄部３３を覆うように設けられている。遮蔽部３７は、表示装置１０からの画像光が絵柄部３３に入射しないよう、光を吸収する機能を有している。遮蔽部３７は、例えば光吸収粒子をバインダー樹脂中に含み得る。光吸収粒子としては、カーボンブラックやチタンブラック等の黒色顔料を例示することができる。表示装置１０から出射された画像光が透過部３５を透過することが遮蔽部３７によって阻害されないよう、遮蔽部３７は、絵柄部３３に対面する位置にのみ設けられていることが好ましい。また、十分な厚さの遮蔽部３７が絵柄部３３を覆っていると、絵柄部３３によって形成される絵柄を濃く明確に形成することができる。具体的な例として、遮蔽部３７の厚さは、１μｍ以上２０μｍ以下である。
【００４１】
次に、本実施の形態の透過率調整シート付き表示装置１の作用について説明する。
【００４２】
表示装置１０の表示面１１に画像を表示しない状態では、図４に示すように、加飾シート３０の絵柄部３３によって形成される絵柄が表示される。すなわち、透過率調整シート付き表示装置１は、観察されることが意図された絵柄を表示することができる。表示された絵柄によって、表示装置１０の表示面１１が外部の観察者から観察されなくなり、意匠性において透過率調整シート付き表示装置１を周辺環境と調和させることができる。特に、遮蔽部３７が絵柄部３３に対面する位置にのみ設けられている場合、遮蔽部３７が観察者に観察されず、遮蔽部３７によって加飾シート３０の意匠性が害されることを防止することができる。
【００４３】
ところで、表示面と外枠との外観の違いから、表示面に重なる位置と外枠に重なる位置とに外観の違いが発生する。特に加飾シートにおいて透過部が占める面積の割合が大きい場合、すなわち加飾シートの可視光透過率が高い場合、この外観の違いは顕著に発生する。この外観の違いによる影響について、本実施の形態の透過率調整シート付き表示装置１と従来の表示装置１１０とを比較して、説明する。
【００４４】
まず、図６に示されている従来の表示装置１１０について説明する。従来の表示装置１１０は、本実施の形態とは異なり、透過率調整シートを有さない。このような表示装置１１０においては、外枠１１３を画像非表示状態の表示面１１１と色や光沢等の外観をできるだけ近づけて設けたとしても、完全に外観を一致させることは現実的には困難である上、表示面１１１と外枠１１３との間の微小な段差等に起因して、表示面１１１と外枠１１３との境目Ｂが目立ってしまう。従来の表示装置１１０の表示面１１１に対面して加飾シートが配置されたとしても、表示面１１１と外枠１１３との境目Ｂを十分に目立たせなくすることはできない。このため、従来の表示装置１１０では、表示面１１１が外枠１１３に対して目立ってしまい、表示装置１１０の意匠性を劣化させてしまう。
【００４５】
次に、本実施の形態の透過率調整シート付き表示装置１について説明する。本実施の形態の透過率調整シート付き表示装置１においては、透過率調整シート２０のグラデーション部２６が、少なくとも部分的に表示面１１に対面している。したがって、表示面１１と外枠１３との境目Ｂは、着色部２７のグラデーション部２６以外の部分に重なっているか、グラデーション部２６に重なっている。表示面１１と外枠１３との境目Ｂがグラデーション部２６に重なっている場合、グラデーション部２６において可視光透過率が段階的または連続的に変化しているため、グラデーション部２６によって表示面１１、外枠１３及び表示面１１と外枠１３との境目Ｂの各々の区別がつきにくくなる。言い換えると、グラデーション部２６によって表示面１１と外枠１３との境目Ｂがぼやかされ、目立ちにくくなる。このため、表示面１１が外枠１３に対して目立ちにくく、透過率調整シート付き表示装置１の意匠性の劣化を避けることができる。なお、透過率調整シート２０の着色部２７は透明部２５に隣接するグラデーション部２６を含んでいるため、透過率調整シート２０の透明部２５と着色部２７との境界もグラデーション部２６によって目立ちにくくなっている。
【００４６】
表示面１１と外枠１３との境目Ｂが着色部２７のグラデーション部２６以外の部分に重なっている場合、着色部２７の最も低い部分の可視光透過率が０．００１％以上２０％以下となっているため、表示面１１と外枠１３との境目Ｂは目立ちにくい。このため、表示面１１が外枠１３に対して目立ちにくく、透過率調整シート付き表示装置１の意匠性の劣化を避けることができる。なお、透過率調整シート２０の着色部２７は透明部２５に隣接するグラデーション部２６を含んでいるため、透明部２５と着色部２７との間の境界もグラデーション部２６によって目立ちにくくなっている。
【００４７】
また、透明部２５は長さ（幅）ＷＴに対するグラデーション部２６の長さ（幅）ＷＧの比は、１／３０以上１／５以下となっている。すなわち、グラデーション部２６の幅は、表示面１１と外枠１３との境目Ｂを目立ちにくくさせる程度に大きく、且つグラデーション部２６自体が目立たない程度に小さくなっている。このため、表示面１１が外枠１３に対してより目立ちにくくすることができ、透過率調整シート付き表示装置１の意匠性の劣化をより避けることができる。
【００４８】
さらに、グラデーション部２６の可視光透過率は、透明部２５から離間するにつれて、グラデーション部２６の単位長さあたり０．３％／ｍｍ以上９９．８％／ｍｍ以下の割合で減少している。このような割合でグラデーション部２６の透過率が変化していると、グラデーション部２６自体を目立ちにくくすることができ、グラデーション部２６が目立つことによる透過率調整シート付き表示装置１の意匠性の劣化を避けることができる。
【００４９】
表示装置１０が表示面１１に画像を表示した状態では、図５に示すように、画像光は、透過率調整シート２０の透明部２５及び加飾シート３０の基材部３１及び透過部３５を透過する。これにより、観察者は画像を観察することができる。すなわち、透過率調整シート付き表示装置１は、観察されることが意図された画像を表示することができ、外部の観察者は、画像を観察することができる。とりわけ、透過率調整シート２０の透明部２５の可視光透過率が８０％以上となっていると、十分な量の画像光が透過率調整シート２０を透過することができるため、観察者は明瞭な画像を観察することができる。
【００５０】
また、絵柄部３３は、遮蔽部３７によって表示装置１０の側から覆われている。したがって、遮蔽部３７によって、画像光が絵柄部３３へ入射することが妨げられる。このため、絵柄部３３を画像光が透過して、絵柄部３３によって表される絵柄と画像光とが混合して観察されることを防止することができる。すなわち、絵柄部３３で特定波長域の可視光が吸収されることに起因して画像の色再現性が劣化することを効果的に防止することができる。さらに、遮蔽部３７が絵柄部３３に対面する領域にのみ設けられている場合、遮蔽部３７によって透過部３５を透過する画像光が妨げられることが防止される。すなわち、画像光を効率的に利用して、画像を明るく表示することができる。
【００５１】
さらに、例えば表示装置１０が液晶ディスプレイ等である場合、表示装置１０に含まれるバックライトが表示面１１に対向する全面で光を出射している。このような表示装置１０の表示面１１において、黒色等の暗色は、暗色を表示する部分でバックライトからの光を遮光することで表示される。バックライトからの光を完全には遮光することはできないため、表示面１１の暗色を表示する部分からも光が出射している。一方、外枠１３に重なる部分は、透過率調整シート２０の着色部２７の暗色が観察される。外枠１３に重なる部分は、バックライト等の光源からの光を出射しない。したがって、表示面１１に表示される暗色と外枠１３に重なる部分の暗色とでは、同じ暗色であっても異なる色として観察され、目立つことがある。しかしながら、本実施の形態では、グラデーション部２６において可視光透過率が段階的または連続的に変化しているため、グラデーション部２６によって表示面１１に表示される暗色と外枠１３に重なる部分の暗色の違いが認識されにくくなる。すなわち、表示面１１に表示される暗色と外枠１３に重なる部分の暗色とが、異なる色として観察されにくく、目立ちにくい。
【００５２】
とりわけ、グラデーション部２６の可視光透過率は、透明部２５から離間するにつれて、グラデーション部２６の単位長さあたり０．３％／ｍｍ以上９９．８％／ｍｍ以下の割合で減少していると、グラデーション部２６によって表示面１１に表示される暗色と外枠１３に重なる部分の暗色の違いがより認識されにくくなる。したがって、表示面１１に表示される暗色と外枠１３に重なる部分の暗色とが、より異なる色として観察されにくくなる。
【００５３】
なお、透過率調整シート２０の着色部２７の最も低い部分の可視光透過率は、０．００１％以上２０％以下となっていると、着色部２７に重なる表示装置１０の外枠１３は、観察されにくくなる。このため、外枠１３は、任意の色とすることができる。
【００５４】
また、着色部２７のＬ＊ａ＊ｂ＊表色系におけるＬ＊の値であるＬ＊１の最小値が２０以下であり、着色部２７のＬ＊ａ＊ｂ＊表色系におけるａ＊の値であるａ＊１およびｂ＊の値であるｂ＊１が次の関係を満たしている。
（（ａ＊１）２＋（ｂ＊１）２）１／２≦４８
この場合、着色部２７が黒色に近い色となっているため、外枠１３が任意の色であっても、着色部２７によって外枠１３が観察されにくくなる。すなわち、外枠１３は、任意の色とすることができる。
【００５５】
以上のように、本実施の形態の透過率調整シート付き表示装置１は、表示面１１を有する表示装置１０と、表示装置１０に対面して配置された透過率調整シート２０と、を備え、透過率調整シート２０は、透明部２５と、透明部２５に隣接するグラデーション部２６を含む着色部２７と、を有し、グラデーション部２６は、少なくとも部分的に表示面１１に対面し、且つ透明部２５から離間するにつれて可視光透過率が低くなる。このような透過率調整シート付き表示装置１によれば、グラデーション部２６によって表示面１１と外枠１３との境目Ｂがぼやかされ、目立ちにくくなる。すなわち、画像非表示状態において、表示装置１０の表示面１１と外枠１３との境目Ｂを目立ちにくくすることができる。
【００５６】
なお、上述した実施の形態に対して様々な変更を加えることが可能である。
【００５７】
例えば、上述した実施の形態において、加飾シート３０は、基材部３１を有していた。しかしながら、加飾シート３０は、その製造工程で剥離させる等によって、基材部３１が除かれていてもよい。この場合、透過部３５は、加飾シート３０の貫通孔として形成され得る。
【００５８】
また、上述した実施の形態において、図２に示すように、加飾シート３０の全体に透過部３５が形成されていた。しかしながら、透過部３５は、加飾シート３０の表示装置１０の表示面１１に対面する領域のみに形成されていてもよい。表示装置１０の表示面１１に対面する領域のみに透過部３５を形成することにより、透過部３５を形成する工程を少なくすることができるため、加飾シート３０の製造コストを抑えることができる。
【００５９】
さらに、上述した実施の形態において、図２に示すように、加飾シート３０において、基材部３１の表示装置１０に対面する側とは逆側に絵柄部３３及び遮蔽部３７が設けられていた。しかしながら、加飾シート３０において、基材部３１の表示装置１０に対面する側に絵柄部３３及び遮蔽部３７が設けられていてもよい。この場合、透過部３５に異物が付着して画像光を妨げてしまうことが生じにくくなる。
【００６０】
上述した透過率調整シート付き表示装置１は、例えば自動車や鉄道等の車両、航空機、船舶及び宇宙船等の移動体の内装部材または外装部材に用いられる。具体的な適用例として、透過率調整シート付き表示装置１は、自動車のセンターコンソールや、ドアトリムに用いられる。あるいは、透過率調整シート付き表示装置１は、建物の内装部材または外装部材、電子機器、家具や電化製品に組み込まれて用いられてもよい。
【符号の説明】
【００６１】
１    透過率調整シート付き表示装置
１０    表示装置
１１    表示面
１５    積層体
２０    透過率調整シート
２５    透明部
２６    グラデーション部
２７    着色部
３０    加飾シート
３１    基材部
３３    絵柄部
３５    透過部
３７    遮蔽部
【図１】
2020034773.tif 000003
【図２】
2020034773.tif 000004
【図３】
2020034773.tif 000005
【図４】
2020034773.tif 000006
【図５】
2020034773.tif 000007
【図６】
2020034773.tif 000008